(57)【要約】【課題】プレゼンテーション用の書画カメラ等において、撮影範囲内にある被写体が異なる被写体に正常に交換されなかった場合に、不適切な画像が出力されることを防止すること。【解決手段】デジタルカメラ１０は、比較的近距離に設定される被写体載置用スペースを撮影範囲内に納め、前記被写体載置用スペースに載置される被写体を撮影して画像データを出力するように構成される。被写体状態検知部１２２は、高フレームレートで連続的に得られる低解像度の画像に基づいて、撮影範囲内における被写体の状態を検出するように構成される。全体制御部１２０は、撮影範囲内の被写体が静止したことが検出された場合に出力用画像の撮影を行って画像出力を行い、当該被写体が撮影範囲内に留まる間はその画像出力を継続させるように制御する。【選択図】        図５
2004208232.tif 000002
【特許請求の範囲】
【請求項１】
比較的近距離に設定される被写体載置用スペースを撮影範囲内に納め、前記被写体載置用スペースに載置される被写体を撮影して画像データを出力する撮像装置であって、
前記撮影範囲内における被写体の状態を検出する検出手段と、
前記検出手段によって前記撮影範囲内の被写体が静止したことが検出された場合に出力用画像の撮影を行って画像出力を行い、当該被写体が前記撮影範囲内に留まる間は前記画像出力を継続させる制御手段と、
を備える撮像装置。
【請求項２】
請求項１に記載の撮像装置において、
前記制御手段は、被写体を撮影して得られる出力用画像の画像出力を行った後、当該被写体が前記撮影範囲内に留まる間は次の出力用画像の撮影を行わないことを特徴とする撮像装置。
【請求項３】
比較的近距離に設定される被写体載置用スペースを撮影範囲内に納め、前記被写体載置用スペースに載置される被写体を撮影して画像データを出力する撮像装置であって、
前記撮影範囲内における被写体の状態を検出する検出手段と、
前記検出手段によって前記撮影範囲内の被写体が静止した場合に出力用画像の撮影を行って画像出力を行い、その後に前記検出手段によって被写体が交換されたことが検出された場合において、その交換された被写体が現在画像出力中の被写体と同一であると判断された場合、前記画像出力を継続させる制御手段と、
を備える撮像装置。
【請求項４】
請求項３に記載の撮像装置において、
前記制御手段は、交換された被写体が現在画像出力中の被写体と同一であると判断された場合、次の出力用画像の撮影を行わないことを特徴とする撮像装置。
【請求項５】
請求項１乃至４のいずれかに記載の撮像装置において、
当該撮像装置は、比較的遠方の被写体をも撮影可能なように構成され、
前記制御手段は、当該撮像装置に、比較的近距離に設定される被写体載置用スペースを撮影範囲内に納め、前記被写体載置用スペースに載置される被写体を撮影して画像データを出力するための動作モードが設定された場合に機能することを特徴とする撮像装置。
【発明の詳細な説明】
【０００１】
【発明の属する技術分野】
本発明は、比較的近距離に設定される被写体載置用スペースを撮影範囲内に納め、被写体載置用スペースに載置される被写体を撮影して画像データを出力することの可能な撮像装置に関する。
【０００２】
【従来の技術】
従来、プレゼンテーション用途等として、所定位置に載置される原稿をその上方から撮影し、原稿画像を表示装置に表示させる書画カメラ装置が存在する。例えば特許文献１には、映像フレーム間の差分をとって、原稿が静止したと判断される場合に出力画像を更新する技術が開示されている。
【０００３】
【特許文献１】
特開２０００−４３９０号公報
【０００４】
【発明が解決しようとする課題】
しかしながら、上記特許文献１の技術では、単純に映像フレーム間の差分をとって原稿が静止したかどうかを判断するため、図１６に示すように、原稿台３１０上の原稿３２０を交換する途中で、原稿３２０が中途半端な状態に載置された状態となったときでも原稿３２０が静止したと判断してしまい、図１６に示す撮影範囲３１１の画像が出力されてしまうことになる。
【０００５】
また、単純に原稿の動きが静止したかどうかを判断するだけであるため、撮影範囲内から原稿を一旦取り出し、再度同じ原稿を載置した場合でも異なる原稿と判断して出力画像の更新が行われることになるので、無駄な表示更新処理が行われ、表示画像がちらつくことになる。
【０００６】
すなわち、従来の書画カメラ装置では、操作者が原稿等の被写体を交換する作業を行う際、その交換作業が正常に行われなかった場合でも、出力画像が更新されてしまうので、必要のない画像が表示されたり、表示画面がちらつくという問題があった。
【０００７】
そこで、本発明は、上記課題に鑑みてなされたものであって、撮影範囲内にある被写体が異なる被写体に正常に交換されなかった場合には、出力画像の更新を行わないようにする撮像装置の提供を目的としている。
【０００８】
【課題を解決するための手段】
上記目的を達成するために、請求項１に記載の発明は、比較的近距離に設定される被写体載置用スペースを撮影範囲内に納め、前記被写体載置用スペースに載置される被写体を撮影して画像データを出力する撮像装置であって、前記撮影範囲内における被写体の状態を検出する検出手段と、前記検出手段によって前記撮影範囲内の被写体が静止したことが検出された場合に出力用画像の撮影を行って画像出力を行い、当該被写体が前記撮影範囲内に留まる間は前記画像出力を継続させる制御手段と、を備えて構成される。
【０００９】
請求項２に記載の発明は、請求項１に記載の撮像装置において、前記制御手段が、被写体を撮影して得られる出力用画像の画像出力を行った後、当該被写体が前記撮影範囲内に留まる間は次の出力用画像の撮影を行わないことを特徴としている。
【００１０】
請求項３に記載の発明は、比較的近距離に設定される被写体載置用スペースを撮影範囲内に納め、前記被写体載置用スペースに載置される被写体を撮影して画像データを出力する撮像装置であって、前記撮影範囲内における被写体の状態を検出する検出手段と、前記検出手段によって前記撮影範囲内の被写体が静止した場合に出力用画像の撮影を行って画像出力を行い、その後に前記検出手段によって被写体が交換されたことが検出された場合において、その交換された被写体が現在画像出力中の被写体と同一であると判断された場合、前記画像出力を継続させる制御手段と、を備えて構成される。
【００１１】
請求項４に記載の発明は、請求項３に記載の撮像装置において、前記制御手段は、交換された被写体が現在画像出力中の被写体と同一であると判断された場合、次の出力用画像の撮影を行わないことを特徴としている。
【００１２】
請求項５に記載の発明は、請求項１乃至４のいずれかに記載の撮像装置において、当該撮像装置が、比較的遠方の被写体をも撮影可能なように構成され、前記制御手段は、当該撮像装置に、比較的近距離に設定される被写体載置用スペースを撮影範囲内に納め、前記被写体載置用スペースに載置される被写体を撮影して画像データを出力するための動作モードが設定された場合に機能することを特徴としている。
【００１３】
【発明の実施の形態】
以下、本発明の実施の形態について図面を参照しつつ詳細に説明する。
【００１４】
＜１．本発明の実施形態＞
図１および図２は、本実施形態に係る撮影システム１の全体構成を示す図である。本撮影システム１は、書画（原稿や書籍を含むドキュメント）や小物品などの被写体ＯＢを被写体載置用スペースＰに載置し、当該被写体載置用スペースＰの上方の比較的近距離から、被写体載置用スペースＰの所定範囲を撮影範囲に収めて当該被写体ＯＢを撮影するダウンフェース撮影用の近接撮影システムである。また、撮影システム１は、被写体載置用スペースＰに載置された紙原稿等の被写体ＯＢを一定の距離を保ちながら撮影して、電子的な画像データを生成可能なように構成される。撮影システム１は、インターフェース２０３に電気的に接続されたパーソナルコンピュータやプリンタやプロジェクタ等の外部機器ＥＸＴに、生成した画像データを出力することが可能なように構成される。例えば外部機器ＥＸＴがプロジェクタである場合には、原稿等を撮影して得られる画像がスクリーン等に投影されてプレゼンテーション等が行われる。
【００１５】
撮影システム１は、被写体ＯＢの像を光電変換して電子的な画像データを生成するデジタルカメラ（撮像装置）１０と、デジタルカメラ１０を被写体ＯＢから一定距離だけ上方に離れた位置に支持する支持台２０とを備え、デジタルカメラ１０が支持台２０に結合されることによって構成される。デジタルカメラ１０は、図２に示すように、支持台２０から分離可能であり、分離された場合は、携行可能な状態となり、比較的遠方に位置する被写体の撮影も可能な通常のデジタルカメラとして単独で使用できる。支持台２０は、被写体載置用スペースＰの辺縁に沿って伸びた接地脚（台座２７０）を持つ、ダウンフェース撮影用のカメラ支持スタンドである。
【００１６】
図３および図４は、支持台２０に結合されるデジタルカメラ１０の外観構成を示す図である。図３はデジタルカメラ１０をその前面側からみた斜視図であり、図４はデジタルカメラ１０をその背面側からみた斜視図である。
【００１７】
図３に示すように、デジタルカメラ１０の前面側には、被写体像を取得するための撮影レンズ１０１が設けられている。
【００１８】
また、デジタルカメラ１０の前面側には、撮影時に被写体に照明光を照射する閃光装置１０９（以下、内蔵フラッシュ１０９という。）が設けられている。内蔵フラッシュ１０９は、デジタルカメラ１０の筐体内に設けられて、デジタルカメラ１０と一体化されている。また、内蔵フラッシュ１０９は、フレネルレンズを備えるパネル１０９ａを備えており、比較的遠方に位置する被写体を小出力のキセノン管で効率よく照明できるように、画角の中心付近を特に照明するような配光特性を有する。
【００１９】
また、デジタルカメラ１０は光学ファインダを備えており、デジタルカメラ１０の前面には、光学ファインダのファインダ対物窓１５１が設けられている。
【００２０】
また、デジタルカメラ１０の上面側には電源スイッチ１５２とシャッタボタン１５３とが設けられている。シャッタボタン１５３は、銀塩カメラで広く採用されているように、半押し状態（以後、Ｓ１状態と略記する）と全押し状態（以後、Ｓ２状態と略記する）とが検出可能な２段階スイッチになっている。例えば、シャッタボタン１５３がＳ１状態にされると、オートフォーカス制御が実行され、Ｓ２状態にされると、記録用又は支持台２０への出力用画像データが撮影される。
【００２１】
また、デジタルカメラ１０の側面には、インターフェース１１０が設けられている。インターフェース１１０は、たとえばＵＳＢ規格のインターフェースであり、電気的に接続されたパーソナルコンピュータやプリンタやプロジェクタ等の外部機器へ画像データを出力したり、制御信号を送受信することが可能である。
この端子があるために、デジタルカメラ１０は、支持台２０と分離して単独で使用した場合でも、外部機器と接続して使用できる。
【００２２】
また、図３に図示しないデジタルカメラ１０の別の側面には、挿抜自在な記憶媒体であるメモリカード１１３を装着するカードスロットと、デジタルカメラ１０の電源となる電池を内蔵させる電池室が設けられる。
【００２３】
一方、図４に示すように、デジタルカメラ１０の背面側には、撮影画像のモニタ表示や記録画像の再生表示等を行うための液晶モニタ１１２が設けられる。また、デジタルカメラ１０の背面側には、光学ファインダのファインダ接眼窓１５４が設けられる。例えば支持台２０と分離した状態において操作者は、液晶モニタ１１２またはファインダ接眼窓１５４によって被写体を確認しつつ撮影操作を行うことができる。
【００２４】
また、デジタルカメラ１０の背面側には操作スイッチ群１５８が設けられ、これら操作スイッチ群１５８を操作者が操作することによってデジタルカメラ１０に対して各種設定を行うことができる。例えば、撮影モードと再生モードとの切替設定を行う場合には、操作者がこれら操作スイッチ群１５８に対して所定の操作を行うことで有効に設定することができる。撮影モードとは、デジタルカメラ単独使用状態では操作者によるシャッタボタン１５３の押下操作に応答して記録用画像の撮影動作を行い、支持台２０に接続された使用状態では自動撮影動作によって出力用の画像を生成するための動作モードである。
【００２５】
デジタルカメラ単独使用時に撮影モードが設定されると、デジタルカメラ１は、操作者によるシャッタボタン１５３の押下操作が行われるまでの撮影待機状態においてライブビュー画像撮影機能が実行される。すなわち、比較的低解像度の画像取得が高フレームレートで繰り返し連続的に実行され、それによって得られる被写体のリアルタイムな画像がいわゆるライブビュー表示として液晶モニタ１１２に表示される。
【００２６】
また、撮影モード時においてデジタルカメラ１０が支持台２０に結合されると、デジタルカメラ１０において、出力用画像の撮影タイミングを自動的に判断する自動撮影モード処理が実行される。ただし、操作者が操作部に対して所定の操作を行うことによって自動撮影モードに移行するようにしてもよい。自動撮影モードにおいては、デジタルカメラ単独使用時におけるライブビュー画像撮影機能を利用して低解像度の画像が高フレームレートで取得され、それらの画像から出力用画像の撮影タイミングが判断される。
【００２７】
デジタルカメラ１０の底面には、三脚あるいは支持台２０との機械的な結合に用いられる結合部１６０と、支持台２０と結合されたことを検知する結合検知部１１４と、制御信号やデジタルカメラ１０が生成した画像データを送受信するデータ送受信部１１５とが設けられる。
【００２８】
結合部１６０は導電性の金属部材からなる。該金属部材には、底面に垂直な円筒穴が形成されており、円筒穴の内面にねじ溝が切られてめねじとなっている。
支持台２０のカメラ支持部２５０に設けられたおねじ２５１が、このめねじと螺合することによって、デジタルカメラ１０は支持台２０と機械的に結合される。
さらに、結合部１６０は、該金属部材がデジタルカメラ１０の内部に設けられる電子回路の基準電位点（以後、ＧＮＤと略記する）と電気的に接続されており、デジタルカメラ１０と支持台２０との内部電子回路のＧＮＤを共通にする役割も兼ねている。
【００２９】
結合検知部１１４およびデータ送受信部１１５は、デジタルカメラ１０と支持台２０とが機械的に結合されたときに、支持台２０に設けられた信号ピン２０１，２０２（図２参照）との間で電気的な導通が得られるように構成された電気接点を備える。結合検知部１１４は信号ピン２０２と導通状態となり、信号ピン２０２に印加される所定電圧を検出した場合に、支持台２０と結合したことを示す結合検知信号を出力する。なお、結合検知部１１４はデジタルカメラ１０側ではなく、支持台２０側に設けられてもよい。
【００３０】
一方、支持台２０は、図２に示すように、デジタルカメラ１０の結合場所となるカメラ支持部２５０を備える。カメラ支持部２５０は、伸縮可能な支柱２６０と接続され、被写体載置用スペースＰから一定距離だけ上方に離れた位置に支持される。また、支柱２６０は、被写体載置用スペースＰと同一平面内（以後、被写体載置面と略記する）に載置されているＬ型の台座２７０と、被写体載置面との角度を可変可能に接続されている。
【００３１】
カメラ支持部２５０は、デジタルカメラ１０の結合部１６０のめねじと螺合可能なおねじがきられた結合ねじ２５１を備える。結合ねじ２５１は、カメラ支持部２５０に形成された貫通穴に挿通され、カメラ支持部２５０に対して回転可能なように設けられる。このため、結合ねじ２５１においてデジタルカメラ１０との結合端の反対端に設けられたつまみ（図２には図示せず）を回転させることによって、デジタルカメラ１０と支持台２０とを結合させることができ、その結果、デジタルカメラ１０は支持台２０のカメラ支持部２５０に固定される。さらに、結合ねじ２５１は導電性の金属部材からなり、支持台２０の内部に設けられる電子回路のＧＮＤと電気的に接続されている。このため、上述したように、デジタルカメラ１０および支持台２０の内部電子回路のＧＮＤは、結合時には共通となる。
【００３２】
また、カメラ支持部２５０は、デジタルカメラ１０との結合を検知するための機能と、デジタルカメラ１０とのデータ送受信を行うための機能とを備えており、これらの機能を実現するために、カメラ支持部２５０はその表面に形成された穴から突出した信号ピン２０１，２０２を備える。信号ピン２０１，２０２は、カメラ支持部２５０の外側から圧力を印加することによってカメラ支持部表面の穴へ所定長さ分だけ圧入可能である。また、信号ピン２０１，２０２は、印加している圧力を取り除けば、圧入した長さ分が再度突出して元の形状が復元するように、カメラ支持部内部側にバネ等が設けられて構成される。これら信号ピン２０１，２０２は、デジタルカメラ１０における結合検知部１１４およびデータ送受信部１１５に対応した位置に設けられ、カメラ支持部２５０がデジタルカメラ１０と結合したときに、それぞれの信号ピン２０１，２０２がデジタルカメラ１０の結合検知部１１４およびデータ送受信部１１５と導通可能な状態に接続される。
【００３３】
これらの構成によって、デジタルカメラ１０の結合部１６０のめねじとカメラ支持部２５０の結合ねじ２５１との螺合が深くなるにつれて、カメラ支持部２５０から突出している信号ピン２０１，２０２は、デジタルカメラ１０の電気接点と電気的な導通を維持しながら、カメラ支持部２５０内に圧入されてゆくことになる。
【００３４】
デジタルカメラ１０に結合検知部１１４が設けられる場合には、それに対応する信号ピン２０２が所定長さだけ圧入されたときに、デジタルカメラ１０と支持台２０とが結合されたことを示す信号を出力するように構成される。例えば、信号ピン２０２が所定長さだけ圧入されると、内部に設けられたスイッチによって、信号ピン２０２の電位が電源電圧レベルになるように構成しておく。
【００３５】
また、支柱２６０には照明部材２０５が設けられ、被写体ＯＢの補助的な照明手段または操作部２０４の照明手段として用いられる。さらに、台座２７０には、インターフェース２０３と原稿明るさ検出手段２０６と操作部２０４とが設けられる。
【００３６】
インターフェース２０３は、たとえばＵＳＢ規格のインターフェース、シリアルインターフェースあるいはパラレルインターフェース等を含み、電気的に接続されたパーソナルコンピュータやプリンタやプロジェクタ等の外部機器ＥＸＴへ画像データを出力したり、制御信号を送受信可能である。
【００３７】
原稿明るさ検出手段２０６は、ホトトランジスタ等の光センサによって構成され、被写体載置用スペースＰからの光を検出して、その輝度に応じた信号を出力する機能を有し、例えば被写体載置用スペースＰに載置される被写体ＯＢの照明状態を調整することが可能なようになっている。なお、被写体載置用スペースＰには予め黒紙等の比較的反射率の低いシートが敷かれているものとする。
【００３８】
操作部２０４は、複数のボタン群を備えて構成され、デジタルカメラ１０と支持台２０の結合時には、これらのボタンはデジタルカメラ１０に設けられた操作部１１１（シャッタボタン１５３、電源スイッチ１５２、操作スイッチ群１５８を含む）と同等の機能を有する。このため、結合時には、デジタルカメラ１０に触れることなく、台座２７０の操作部２０４を操作することによって、デジタルカメラ１０の撮影および設定操作が可能である。
【００３９】
以上のように構成された撮影システム１において、デジタルカメラ１０と支持台２０とが接続された状態の機能ブロック図を図５に示す。
【００４０】
図５に示すように、デジタルカメラ１０においては被写体像は撮影レンズ１０１を介して撮像素子１０３に結像するように構成されており、撮影レンズ１０１はレンズ系１０１ａ及び絞り１０１ｂを備える。レンズ系１０１ａにおいては、被写体の合焦状態を変化させるために、フォーカシングレンズが移動可能となっている。また、撮影レンズ１０１は、入射光量を変化させるために、絞り１０１ｂの開口径が調整可能となっている。レンズ駆動部１０２は、全体制御部１２０から入力される制御信号に従って、フォーカシングレンズの移動および絞り１０１ｂの開口径の調整を行う。
【００４１】
撮像素子１０３は、ＣＣＤイメージセンサ等で構成されており、タイミング制御回路１１６によって露光時間（シャッタスピード）が制御され、撮影レンズ１０１を介して入射する被写体像をＲ（赤），Ｇ（緑），Ｂ（青）の各色成分の画像信号（各画素から出力された画素信号の信号列）に光電変換して出力する。
【００４２】
また、撮像素子１０３は全体制御部１２０からの指令に応じて画像読出モードを変更するようになっている。このため、撮像素子１０３は全画素読み出しを行って高解像度の画像を出力することが可能であり、また画素間引き読み出しを行って低解像度の画像を出力することも可能である。
【００４３】
信号処理回路１０４は、ＣＤＳ（相関二重サンプリング）回路およびＡＧＣ（オートゲインコントロール）回路を有し、撮像素子１０３から出力される画像信号に所定の信号処理を施す。具体的には、ＣＤＳ回路により画像信号のノイズ低減が行われ、ＡＧＣ回路により画像信号のレベル調整が行われる。その後、画像信号はＡ／Ｄ変換器１０５にてデジタル信号に変換され、デジタル信号に変換された画像データが画像処理部１０６へ出力される。なお、信号処理回路１０４もタイミング制御回路１１６によって制御され、撮像素子１０３の撮影動作と同期した信号処理が可能なように構成される。
【００４４】
画像処理部１０６は、Ａ／Ｄ変換器１０５から入力する画像データに、黒レベル補正、ホワイトバランス補正およびγ補正等の各種画像処理を行う。黒レベル補正は、画像データの黒レベルを所定の基準レベルに補正する。ホワイトバランス補正は、γ補正後の画像データでホワイトバランスがとれるように、画素データのＲ，Ｇ，Ｂの各色成分のレベル変換を行うものである。
【００４５】
画像メモリ１０７は、画像処理部１０６で処理が終了した画像データを一時的に記憶するバッファメモリであり、少なくとも１フレーム分の記憶容量を有する。デジタルカメラ１０と支持台２０とが結合状態にある場合であって、ライブビュー画像撮影機能を利用して得られる低解像度の画像は全体制御部１２０に与えられて、出力用画像の更新や撮影タイミングの評価のために用いられる。そして自動撮影して得られる出力用画像データは画像メモリ１０７から全体制御部１２０を介してデータ送受信部１１５に出力され、支持台２０を介して外部機器ＥＸＴに出力される。また、デジタルカメラ１０が支持台２０と分離された状態にある場合には、操作者からの撮影指示によって得られた画像データは画像メモリ１０７から全体制御部１２０を介してメモリカード１１３に記録される。
【００４６】
フラッシュ発光回路１０８は、全体制御部１２０の制御信号に基づいて、内蔵フラッシュ１０９にフラッシュ発光のための電力を供給する。これにより、内蔵フラッシュの発光の有無、発光タイミングおよび発光量が制御可能となる。
【００４７】
操作部１１１は、上述した操作スイッチ群１５８、シャッタボタン１５３および電源スイッチ１５２を包括するものであり、操作者が操作可能な部材である。
操作者が操作部１１１に所定の操作を行うと、その操作内容は全体制御部１２０に伝達され、デジタルカメラ１０の動作状態に反映される。ただし、既述のように、デジタルカメラ１０と支持台２０とが結合状態にある場合には、支持台２０の操作部２０４に対する操作内容もデータ送受信部１１５を介して全体制御部１２０に伝達され、デジタルカメラ１０の動作状態に反映される。
【００４８】
結合検知部１１４は、デジタルカメラ１０と支持台２０とが結合された場合に全体制御部１２０へ結合検知信号を出力する。例えば、非結合時には電位がＧＮＤレベルとなっており、結合時には電位が電源電圧レベルになるように構成しておく。これは、結合検知部１１４の電気接点をＧＮＤに抵抗でプルダウンしておき、デジタルカメラ１０と支持台２０とが結合されると、該電気接点と支持台２０の信号ピン２０２との間に電気的導通が生じるような構造にしておくことによって実現できる。
【００４９】
データ送受信部１１５は、デジタルカメラ１０と支持台２０とが結合された場合に、デジタルカメラ１０の全体制御部１２０と支持台２０のデータ送受信部２０２との間で所定の通信方式で制御信号および画像データを送受信するために設けられる。これによって、デジタルカメラ１０で撮影して得られる画像データは、支持台２０に出力され、支持台２０からパーソナルコンピュータ、プリンタおよびプロジェクタ等の外部機器ＥＸＴへ出力可能である。
【００５０】
全体制御部１２０は、例えばＲＯＭ１３０およびＲＡＭ１４０を備えたマイクロコンピュータによって構成され、該マイクロコンピュータがＲＯＭ１３０に格納される所定のプログラム１３１を実行することにより、全体制御部１２０はデジタルカメラ１０の各部を統括的に制御する機能を有する。これらの機能には、図５に示すように、主として、撮影制御部１２１、被写体状態検知部１２２および出力制御部１２３としての機能があるが、これら以外にもオートフォーカス制御機能等の各種機能がある。
【００５１】
ＲＯＭ１３０に格納されるプログラム１３１には、通常のデジタルカメラとして機能するための通常撮影用プログラムと、被写体載置用スペースＰに載置される原稿等の被写体ＯＢを適切なタイミングで撮影して出力用画像を出力するためのダウンフェース近接撮影用プログラムとが含まれており、結合検知部１１４から結合検知信号を受信した場合に、全体制御部１２０においてダウンフェース近接撮影用プログラムが実行されて、自動撮影モードに移行するようになっている。また、操作者によって自動撮影モードが指示された場合に、自動撮影モードへ移行するようにしてもよい。
【００５２】
ＲＡＭ１４０には、自動撮影によって得られる画像であって、支持台２０に対して出力する出力用画像を少なくとも１フレーム分記憶する出力用画像記憶領域１４１と、自動撮影モードへの移行後の初期画像を記憶する初期画像記憶領域１４２とが設けられる。
【００５３】
撮影制御部１２１は、レンズ駆動部１０２やタイミング制御回路１１６に対して制御信号を送出することにより、撮影モード時における撮影動作を制御するものであり、タイミング制御回路１１６を介して撮像素子１０３の画像読出モードを変更することによって、取得する画像の解像度を変更することも可能なように構成されている。
【００５４】
また撮影制御部１２１は、上記２つのプログラムのいずれが実行されても機能するように構成されている。デジタルカメラ１０と支持台２０とが分離された状態にある場合には、撮影待機状態においてライブビュー画像撮影機能に基づく撮影制御を実行し、液晶モニタ１１２に表示する低解像度のライブビュー画像を繰り返し撮影するための制御動作を行う。そして操作者から撮影指示が与えられたときに記録用画像を高解像度で撮影するための制御動作を行う。また、デジタルカメラ１０と支持台２０とが結合された状態にある場合には、自動撮影モードにおいて、低解像度の画像を繰り返し撮影するための制御動作を実行し、出力用画像の撮影指示信号を入力すると、出力用画像を撮影するための制御動作を実行する。
【００５５】
また、ライブビュー表示動作における撮影動作と、自動撮影モードにおいて撮影タイミングを評価するための撮影動作とは同一の撮影機能（ライブビュー画像撮影機能）によって実現されており、ライブビュー表示時において画像メモリ１０７に逐次記憶される画像と、自動撮影モード時に画像メモリ１０７に逐次記憶される連続的な画像とは、同一解像度の画像（すなわち低解像度撮影の画像）となり、画像取得時のフレームレートは高解像度の画像を撮影する場合に比して高い値に設定される。
【００５６】
被写体状態検知部１２２は、撮影モード下においてデジタルカメラ１０と支持台２０とが結合された場合に機能するものであり、自動撮影モード時、画像メモリ１０７に逐次格納される低解像度画像を取得し、経時的な画像の変化を監視することにより、被写体ＯＢが被写体載置用スペースＰにおいて静止したか否かを評価する。具体的には、被写体状態検知部１２２は高フレームレートで順次得られる低解像度画像を複数のブロックに分割し、各ブロックについて平均輝度を求める。そして逐次得られる画像についてブロック毎の輝度値（平均輝度値）の経時的変化をみることによって被写体の動きを検知するように構成されている。
【００５７】
図６はブロック分割の概念を示す図である。被写体状態検知部１２２は、ライブビュー画像撮影機能を利用して連続的に得られる低解像度画像を、図６に示すように縦４および横４の合計１２ブロックＢａ〜Ｂｐに分割し、各ブロックに含まれる画像成分の輝度値の平均値を求めることによって各ブロックの輝度値を求める。
【００５８】
図６に示す複数のブロックＢａ〜Ｂｐは、通常撮影時の自動露出制御の際に用いられるマルチ測光領域として規定される複数の測光ブロックを用いてもよし、また通常撮影時の被写体追尾の際に用いられる複数の追尾用ブロックを用いてもよい。すなわち、自動撮影モード時において、自動露出制御を行いつつ、同一の測光ブロックを利用して各ブロックの輝度値を求めてもよいし、また、オートフォーカス制御を行いつつ、被写体追尾用ブロックを利用して各ブロックの輝度値を求めてもよい。このように複数のブロックを他の機能を共有化することにより、効率的な処理が可能になるとともに、専用のブロックを規定する必要がなくなるので有用である。
【００５９】
そして被写体状態検知部１２２は、各ブロックの経時的な輝度変化が所定範囲内に収まる場合（すなわち、全てのブロックにおいて安定した輝度値を示す場合）には被写体ＯＢが被写体載置用スペースＰにおいて静止したものと判断することができる。また、各ブロックの経時的な輝度変化が所定範囲を越える場合（すなわち、少なくとも１つのブロックの輝度変化が比較的大きい場合）には被写体ＯＢが被写体載置用スペースＰにおいて動いているものと判断することができる。
【００６０】
また、被写体状態検知部１２２は、被写体載置用スペースＰに載置される原稿等の被写体ＯＢが交換されたか否かを評価する。そのため、デジタルカメラ１０と支持台２０とが結合され、自動撮影モードが機能すると、被写体状態検知部１２２は、最初に取得される初期画像をＲＡＭ１４０に記憶させる。この初期画像は、被写体載置用スペースＰに原稿等の被写体ＯＢが載置されていない状態の画像である。
【００６１】
そして被写体状態検知部１２２は、高フレームレートで連続的に得られる低解像度の画像を、ＲＡＭ１４０に格納した初期画像と逐次比較し、初期画像と同一の画像であれば、被写体載置用スペースＰには原稿等の被写体ＯＢが存在しないものと判断することができる。換言すれば、この比較によって、被写体載置用スペースＰの撮影範囲内に存在していた被写体ＯＢが撮影範囲内から退避したか否かを判断することができる。
【００６２】
また、被写体状態検知部１２２は、高フレームレートで連続的に得られる低解像度の画像を、ＲＡＭ１４０に格納される出力用画像と逐次比較し、出力用画像と同一の画像であれば、被写体載置用スペースＰにおいて原稿等の被写体ＯＢが交換されていないものと判断することができる。換言すれば、被写体の交換作業によって被写体載置用スペースＰの撮影範囲内に運ばれてきた被写体が未撮影の被写体であるか否かを判断することができる。なお、ＲＡＭ１４０に格納される出力用画像は高解像度であり、これとの比較対象となる画像は低解像度であるため、被写体状態検知部１２２が高フレームレートで順次得られる低解像度の画像を、ＲＡＭ１４０に格納される出力用画像と比較する際には、出力用画像の解像度変換を行って同一解像度の画像として画素毎の比較を行うことが好ましい。
【００６３】
図７乃至図１１は、被写体の各状態を図６に示した複数のブロックによって検知する概念を示す図であり、各図の（ａ）は各ブロックにおいて被写体の状態を示す図である。また、各図の（ｂ）はブロックＢａにおける輝度情報の変化を示しており、（ｃ）はブロックＢｇにおける輝度情報の変化を示している。
【００６４】
まず、自動撮影モード移行時の初期画像としては、図７（ａ）に示すような画像が得られる。このとき、各ブロックＢａ，Ｂｇでは輝度情報の経時的変化はない（図７（ｂ），（ｃ））。次に被写体載置用スペースＰの撮影範囲内に被写体を運びこむとき、画像は図８（ａ）のようになり、そのときのブロックＢａおよびＢｇにおける輝度情報は経時的に大きな変化を示す（図８（ｂ），（ｃ））。
従って、図８の状態においては、被写体ＯＢは静止していないと判断される。
【００６５】
次に被写体載置用スペースＰの撮影範囲内に運び込まれた被写体が静止したとき、画像は図９（ａ）のようになり、このときのブロックＢａおよびＢｇにおける輝度情報に経時的変化はない（図９（ｂ），（ｃ））。従って、図９の状態においては、被写体ＯＢが静止したものと判断される。次にその被写体ＯＢが再び撮影範囲内で移動し始めると、画像は図１０（ａ）のようになり、そのときのブロックＢａおよびＢｇにおける輝度情報は経時的に大きな変化を示す（図１０（ｂ），（ｃ））。従って、図１０の状態においては、被写体ＯＢは動きのある状態で撮影範囲内に留まっていると判断される。そしてその被写体ＯＢが撮影範囲内から完全に退避してしまうと、図１１（ａ）に示すような初期画像と同一の画像が得られ、このときの各ブロックＢａ，Ｂｇでは輝度情報の経時的変化はない（図１１（ｂ），（ｃ））。
【００６６】
輝度情報の経時的変化の有無は、例えば数〜数十フレームにわたって輝度の変化が所定範囲内であるか否かによって判断することができる。
【００６７】
被写体状態検知部１２２は、上記のように連続的な低解像度の画像を取得してブロックＢａ〜Ｂｐごとに経時的な輝度変化の有無を評価し、被写体載置用スペースＰの撮影範囲内に被写体ＯＢが存在する場合であって、全てのブロックＢａ〜Ｂｐについて動きがないと判断された場合、撮影制御部１２１に対して撮影指示信号を送出し、その後、同一の被写体ＯＢが退避することなく、撮影範囲内に留まり続ける間は、次の撮影指示信号を送出しないようになっている。
【００６８】
また、一旦撮影範囲内から退避した場合であっても、その後、同一の被写体ＯＢが撮影範囲内にて静止した場合には、新たな出力用画像の撮影指示信号を撮影制御部１２１に与えるのではなく、出力制御部１２３に対して同一被写体を含む出力用画像の出力指令を与えるようになっている。
【００６９】
そして撮影制御部１２１は、被写体状態検知部１２２から撮影指示信号を受信した場合に、高解像度での出力用画像の撮影動作を行うための撮影制御を実行する。具体的には、自動撮影モードへの移行後、撮影範囲内に被写体ＯＢが運ばれてくると、被写体状態検知部１２２からの信号によってその被写体ＯＢが静止したときに最初の出力用画像の撮影を行う。その後、撮影制御部１２１は、被写体ＯＢが少なくとも１回撮影範囲内から退避し、その後、被写体ＯＢが静止したと判断される場合に次の出力用画像の撮影動作に移行するようになる。ただし、被写体状態検知部１２２によって、撮影範囲内に運ばれて静止した被写体ＯＢがそれ以前に撮影された出力用画像に含まれる被写体と同一であると判断された場合には、次の出力用画像の撮影動作に移行しないようになっている。
【００７０】
つまり、撮影制御部１２１は、支持台２０と結合されて自動撮影モードに移行した時、ある被写体ＯＢが撮影範囲内に運ばれて静止したことが検出された場合に出力用画像の撮影を行うとともに、その被写体ＯＢが撮影範囲内に留まり続ける間は次の出力用画像の撮影動作には移行しないようになっている。また、出力用画像の撮影の後、被写体が交換されたことが検出された場合において、その交換された被写体が現在画像出力中の被写体と同一であると判断された場合にも次の出力用画像の撮影動作には移行しないようになっている。
【００７１】
出力制御部１２３は、撮影制御部１２１の撮影制御によって得られる高解像度の出力用画像を画像メモリ１０７から取得し、ＲＡＭ１４０の出力用画像記憶領域１４１に格納するとともに、データ送受信部１１５を介してその出力用画像を支持台２０に出力するように構成される。出力制御部１２３の出力制御機能によって支持台２０に出力される画像データは外部機器ＥＸＴへと出力され、画像表示等が行われる。
【００７２】
また、出力制御部１２３は、被写体状態検知部１２２からの指令に基づいて、ＲＡＭ１４０に格納される出力用画像を継続的に支持台２０に対して出力するように構成される。具体的には、自動撮影モードへの移行後、最初の出力用画像の撮影によって得られる出力用画像をＲＡＭ１４０の出力用画像記憶領域１４１に格納するとともに、その出力用画像を支持台２０へ出力する。この出力用画像は、次に新たな出力用画像が撮影されるまでは継続的に支持台２０へ出力される。
その後、被写体状態検知部１２２によって、撮影範囲内に運ばれて静止した被写体ＯＢがそれ以前に撮影された出力用画像に含まれる被写体と同一であると判断された場合、出力制御部１２３はＲＡＭ１４０の出力用画像記憶領域１４１から同一であると判断された出力用画像を取得し、その画像を支持台２０へ出力するようになっている。
【００７３】
つまり、出力制御部１２３は、支持台２０と結合されて自動撮影モードに移行して最初に撮影された出力用画像を支持台２０へ出力するとともに、その被写体ＯＢが撮影範囲内に留まり続ける間は出力用画像の更新を行わず、また、出力用画像の撮影の後、被写体が交換されたことが検出された場合において、その交換された被写体が現在画像出力中の被写体と同一であると判断された場合にも出力用画像の更新を行わないようになっている。さらに、被写体が交換されたことが検出された場合において、その交換された被写体がそれ以前に撮影された被写体と同一でないと判断された場合には、交換された被写体に適した出力用画像に更新されるようになっている。
【００７４】
次に、上記のように構成される撮影システム１において自動撮影が行われる場合の処理シーケンスについて説明する。図１２及び図１３は、被写体が撮影範囲内に留まる間は出力画像の更新を行わない処理シーケンスを示すフローチャートである。
【００７５】
撮影モード時において、デジタルカメラ１０と支持台２０とが結合されたか否かを判断し（ステップＳ１０）、結合状態が検知されると、ステップＳ１２に進み、自動撮影モードへと移行する。
【００７６】
自動撮影モードに移行すると、撮像素子１０３から低解像度の画像を高フレームレートで取得するための画像読出モードを設定する（ステップＳ１２）。そして被写体載置用スペースＰに被写体ＯＢが載置されていない状態で初期画像の撮影を行い（ステップＳ１３）、その初期画像をＲＡＭ１４０に格納する（ステップＳ１４）。
【００７７】
次に、被写体状態検知部１２２における検知機能が動作し、連続的に得られる低解像度の画像に基づき、撮影範囲内において被写体の動きを検知したか否かを判断する（ステップＳ１５）。そして被写体の動きが検知されると、次にその被写体が静止したか否かを判断する（ステップＳ１６）。撮影範囲内において被写体が静止すると、被写体が安定した状態となるように一定時間待機した後（ステップＳ１７）、撮像素子１０３の画像読出モードを高解像度化し、フレームレートを低下させる（ステップＳ１８）。そして出力用画像の撮影を行い（ステップＳ１９）、その出力用画像をＲＡＭ１４０に格納するとともに、支持台２０に出力する（ステップＳ２０）。
【００７８】
次に再び撮像素子の画像読出モードを低解像度化し、フレームレートを上昇させる（ステップＳ２１：図１３）。そして再び被写体状態検知部１２２における検知機能が動作し、連続的に得られる低解像度の画像に基づき、撮影範囲内において被写体の動きを検知したか否かを判断する（ステップＳ２２）。そして被写体の動きが検知されると、初期画像との比較によって、その被写体が撮影範囲内から退避したか否かを判断する（ステップＳ２３）。その被写体が撮影範囲内に留まる場合には、その被写体が静止したか否かが判断され（ステップＳ２４）、静止した場合には再び動き検知（ステップＳ２２）以降の処理が行われる。また、静止していない場合には、ステップＳ２３に戻る。よって、同一の被写体が撮影範囲内に留まる間はステップＳ２２，Ｓ２３，Ｓ２４のループ処理から抜けることはなく、出力用画像の更新は行われない。これに対し、同一の被写体が撮影範囲内から退避した場合にはステップＳ１５からの処理が繰り返し行われることとなり、次の被写体が撮影範囲内において静止した場合に出力用画像の撮影および出力が行われることになる。
【００７９】
したがって、図１２および図１３の処理シーケンスを適用すれば、図１６のように原稿等の被写体が中途半端に載置された状態であっても出力用画像がそのような中途半端な画像に更新されることはない。つまり、被写体の交換作業が正常に行われなかった場合に、不適切な画像が出力されることを防止することができる。
【００８０】
次に、図１４及び図１５は、交換された被写体がそれ以前に撮影された出力用画像と同一である場合に出力用画像の撮影を行わない処理シーケンスを示すフローチャートである。
【００８１】
撮影モード時において、デジタルカメラ１０と支持台２０とが結合されたか否かを判断し（ステップＳ３０）、結合状態が検知されると、ステップＳ３１に進み、自動撮影モードへと移行する。
【００８２】
自動撮影モードに移行すると、撮像素子１０３から低解像度の画像を高フレームレートで取得するための画像読出モードを設定する（ステップＳ３１）。そして被写体載置用スペースＰに被写体ＯＢが載置されていない状態で初期画像の撮影を行い（ステップＳ３２）、その初期画像をＲＡＭ１４０に格納する（ステップＳ３３）。
【００８３】
次に、被写体状態検知部１２２における検知機能が動作し、連続的に得られる低解像度の画像に基づき、撮影範囲内において被写体の動きを検知したか否かを判断する（ステップＳ３４）。そして被写体の動きが検知されると、次にその被写体が静止したか否かを判断する（ステップＳ３５）。撮影範囲内において被写体が静止すると、被写体が安定した状態となるように一定時間待機した後（ステップＳ３６）、撮像素子１０３の画像読出モードを高解像度化し、フレームレートを低下させる（ステップＳ３７）。そして出力用画像の撮影を行い（ステップＳ３８）、その出力用画像をＲＡＭ１４０に格納するとともに、支持台２０に出力する（ステップＳ３９）。
【００８４】
次に再び撮像素子の画像読出モードを低解像度化し、フレームレートを上昇させる（ステップＳ４０：図１５）。そして再び被写体状態検知部１２２における検知機能が動作し、連続的に得られる低解像度の画像に基づき、撮影範囲内において被写体の動きを検知したか否かを判断する（ステップＳ４１）。そして被写体の動きが検知されると、被写体が静止したか否かを判断する（ステップＳ４２）。
【００８５】
そして撮影範囲内において被写体が静止した場合には、現在の画像が、既に撮影され、ＲＡＭ１４０に格納されている記憶画像（出力用画像）と一致するか否かを判断する（ステップＳ４３）。
【００８６】
ここで、現在の画像が既に撮影された画像に一致する場合には、同一の被写体を再度撮影する必要はないので、出力用画像の撮影動作を行わず、ＲＡＭ１４０に記憶された画像のなかから一致する画像を抽出して支持台２０に出力する（ステップＳ４４）。これにより、無駄な撮影動作が行われることを防止することができる。また、現在の画像がその直前の画像と一致する場合には、その直前の出力用画像が継続して出力され続けることになるので、無駄な表示更新処理が行われることを回避することができ、表示画像のちらつきを防止することができる。
【００８７】
一方、現在の画像が既に撮影された画像に一致しない場合には、新たな被写体と判断してステップＳ３６に戻り、出力用画像の撮影・出力処理（ステップＳ３８，Ｓ３９）が行われる。
【００８８】
したがって、図１４および図１５の処理シーケンスを適用すれば、不必要な出力用画像の更新が抑制されるので、ちらつきのない良好な画像を出力することが可能になる。特に、被写体ＯＢが撮影された出力用画像が出力されているときに、その被写体ＯＢが撮影範囲内から一旦取り除かれ、その後、他の被写体が撮影範囲内に入ることなく、直ちに元の被写体ＯＢが撮影範囲内に戻された場合には、出力用画像に何ら変更はなく、それ以前の出力用画像が継続的に出力されるので、画像のちらつきは生じない。
【００８９】
なお、図１４および図１５のフローチャートにおいて、例えばステップＳ４０，Ｓ４１の間に、図１３のステップＳ２２〜Ｓ２４の処理を行うように構成すれば、図１２および図１３のフローチャートを実行することによる効果を同時に得ることが可能になる。
【００９０】
以上のように、本実施形態のデジタルカメラ１０は、支持台２０に結合されることによって、比較的近距離に設定される被写体載置用スペースＰを撮影範囲内に納め、被写体載置用スペースＰに載置される被写体ＯＢを撮影して画像データを出力することが可能な状態となる。そしてデジタルカメラ１０には、その撮影範囲内における被写体ＯＢの状態を検出するために被写体状態検知部１２２が設けられており、撮影範囲内の被写体ＯＢが静止したことが検出された場合に出力用画像の撮影を行って画像出力を行い、当該被写体ＯＢが撮影範囲内に留まる間はその画像出力を継続させるように構成されている。
【００９１】
このため、撮影範囲内にある被写体が異なる被写体に正常に交換されなかった場合に、不適切な画像出力が行われることを抑制することが可能である。
【００９２】
また、被写体を撮影して得られる出力用画像の画像出力を行った後、当該被写体が撮影範囲内に留まる間は次の出力用画像の撮影を行わないように構成されるので、無駄な撮影動作を回避することができる。
【００９３】
また、デジタルカメラ１０は、撮影範囲内の被写体ＯＢが静止した場合に出力用画像の撮影を行って画像出力を行い、その後に被写体ＯＢが交換された場合において、その交換作業によって撮影範囲内に運び込まれた被写体ＯＢが現在画像出力中の被写体と同一であると判断された場合には、現在の画像出力を継続させるように構成されるので、出力画像のちらつきを防止することができる。
【００９４】
また、交換された被写体が現在画像出力中の被写体と同一であると判断された場合、次の出力用画像の撮影を行わないように構成されるので、無駄な撮影動作を回避することができる。
【００９５】
また、デジタルカメラ１０は、単独使用によって比較的遠方の被写体を通常撮影することが可能なように構成されており、上記の動作は、比較的近距離に設定される被写体載置用スペースＰを撮影範囲内に納め、その被写体載置用スペースに載置される被写体ＯＢを撮影して画像データを出力するための動作モード（自動撮影モード）が設定された場合に有効に動作するように構成されるため、一般的なデジタルカメラ１０を例えばプレゼンテーション用途等の近距離撮影にも適用することができる。したがって、デジタルカメラ１０の汎用性や利便性を増すことができる。
【００９６】
また、被写体状態検知部１２２が被写体の状態を検知する際の画像は、一般的なデジタルカメラ１０のライブビュー画像撮影機能を利用して取得することができるので、複雑な撮影制御機構を別に構築する必要はなく、被写体の状態検知を行うことが可能である。また、被写体状態検知部１２２における検知用の画像は低解像度の画像とされているので、比較的高フレームレートで連続的な画像を取得することができ、被写体ＯＢの状態変化に対する応答速度を速くすることができる。
【００９７】
また、被写体状態検知部１２２は、連続的に得られる複数の画像のそれぞれを複数ブロックに分割し、各ブロックの画像情報の変化に基づいて、被写体の状態を検出するものであるので、被写体の動きの有無等を簡単かつ高速に求めることが可能である。そして、それら複数ブロックを、自動露出制御に用いられる測光ブロックや、被写体追尾に用いられる追尾用ブロック等を用いることにより、被写体状態検知部１２２のために専用のブロック設定を行う必要がなく、構成を簡略化することができる。
【００９８】
＜２．変形例＞
以上、本発明の実施の形態について説明したが、本発明は上記説明した内容のものに限定されるものではない。
【００９９】
例えば、上記説明においてはデジタルカメラ１０と支持台２０とが分離可能な構成を例示したが、これに限定されるものではなく、デジタルカメラ１０と支持台２０とが一体不可分な状態に固定されていてもよい。
【０１００】
なお、上述した内容には以下の発明概念が含まれる。
【０１０１】
（１）  請求項１乃至４のいずれかに記載の撮像装置において、前記検出手段は、前記出力用画像よりも低解像度で、前記撮影範囲内を繰り返し撮影して得られる連続的な複数の画像に基づいて、被写体の状態を検出するものであることを特徴とする撮像装置。
【０１０２】
これにより、被写体の状態を検出する際に、高フレームレートで画像を取得することが可能になり、被写体の状態変化に対して高速で反応することが可能である。
【０１０３】
（２）  上記（１）に記載の撮像装置において、前記検出手段は、連続的に得られる前記複数の画像のそれぞれを複数ブロックに分割し、各ブロックの画像情報の変化に基づいて、被写体の状態を検出するものであることを特徴とする撮像装置。
【０１０４】
これにより、被写体の状態を簡単かつ高速に検知することが可能である。
【０１０５】
（３）  上記（２）に記載の撮像装置において、前記複数ブロックとして、当該撮像装置が通常のデジタルカメラとして使用される場合に自動露出制御のための測光ブロックが適用されることを特徴とする撮像装置。
【０１０６】
これにより、検出手段のために専用のブロック設定を行う必要がなく、構成を簡略化することができる。
【０１０７】
（４）  上記（２）に記載の撮像装置において、前記複数ブロックとして、当該撮像装置が通常のデジタルカメラとして使用される場合に被写体追尾のための測定ブロックが適用されることを特徴とする撮像装置。
【０１０８】
これにより、検出手段のために専用のブロック設定を行う必要がなく、構成を簡略化することができる。
【０１０９】
（５）  上記（１）乃至（４）のいずれかに記載の撮像装置において、前記複数の画像は、当該撮像装置が通常のデジタルカメラとして使用される場合のライブビュー画像取得機能を利用して取得されることを特徴とする撮像装置。
【０１１０】
これにより、複雑な撮影制御機構を別途に構築する必要はなく、被写体の状態検知を行うことが可能である。
【０１１１】
（６）  請求項３又は４に記載の撮像装置において、出力用画像が撮影される度に当該出力用画像を蓄積記憶していく記憶手段（ＲＡＭ１４０）をさらに備え、前記制御手段は、前記検出手段によって前記撮影範囲内の被写体が静止した場合に出力用画像の撮影を行って画像出力を行い、その後に前記検出手段によって被写体が交換されたことが検出された場合において、その交換された被写体がそれ以前に出力された被写体と同一であると判断された場合、前記記憶手段から該当する出力用画像を読み出して画像出力を行うことを特徴とする撮像装置。
【０１１２】
これにより、直前の画像だけでなく、それ以前に撮影された出力用画像であっても新たに撮影を行うことなく、出力画像の更新を行うことが可能になる。
【０１１３】
（７）  請求項１乃至５のいずれか１つ、又は上記（１）〜（６）のいずれか１つに記載の撮像装置において、当該撮像装置が、比較的近距離に設定される被写体載置用スペースを撮影範囲内に納め、前記被写体載置用スペースに載置される被写体を撮影可能な状態となるように所定の支持台に結合されることに応答して、前記制御手段が機能することを特徴とする撮像装置。
【０１１４】
これにより、一般的なデジタルカメラ１０を近距離撮影に適用する場合に機能の切り換えを自動的に行うことができ、操作性の向上を図ることができる。
【０１１５】
＜３．参考技術＞
以上の内容は、被写体載置用スペースＰの撮影範囲内において、被写体ＯＢに動きがある場合には、出力画像の更新を行わない技術に関するものであるが、プレゼンテーション等の形態によっては、被写体ＯＢの動きをそのまま表示する方が好ましい場合もある。例えば、紙原稿上を指示棒（ポインタ）等で指し示しつつ、プレゼンテーション等を行う場合等である。以下においては、そのような場合の参考技術を開示する。
【０１１６】
特開２００１−１０９４２２号公報には、いわゆる書画カメラにおいて、被写体の動きに応じて出力用画像の解像度とフレームレートとを変更する技術が開示されている。
【０１１７】
しかしながら、上記公報に開示される技術では、高解像度から低解像度への遷移タイミングの検出は、高解像度で撮影された画像に基づいて行われている。よって、遷移タイミングを検知する際のフレームレートは比較的低い状態であるため、遷移タイミングの検出や出力用画像への反映にはタイムラグが発生するという問題がある。
【０１１８】
そこで、本参考技術は、遷移タイミングの検出や出力用画像への反映等の応答性を高める技術を提供するものである。
【０１１９】
なお、撮影システム１の構成等は、上述した図１乃至図５に示したものと同様である。
【０１２０】
撮影制御部１２１は、低解像度・高フレームレートの画像読出モードを設定して連続的な画像取得を繰り返し行う。被写体状態検知部１２２は、連続的な画像を取得し、上述した内容と同様に、複数ブロックＢａ〜Ｂｐについて画像成分の変化を検知する。
【０１２１】
撮影制御部１２１は、被写体載置用スペースＰの撮影範囲内に最初に運び込まれた被写体ＯＢが静止したとき、高解像度・低フレームレートの画像読出モードを設定して出力用画像を撮影するための撮影制御を行う。そして出力用画像を１枚撮影すると、撮影制御部１２１は直ちに撮像素子１０３の画像読出モードを低解像度・高フレームレートに戻す。
【０１２２】
その後、被写体状態検知部１２２は、連続的な低解像度の画像を高フレームレートで取得し、撮影範囲内の画像成分の動き（変化）を検知する。そして撮影範囲内に変化があった場合、被写体状態検知部１２２は出力制御部１２３に対し、表示切り換えを指示する。
【０１２３】
出力制御部１２３は被写体状態検知部１２２から表示切り換えの指示を受信すると、出力画像を、現在出力中の高解像度画像から、現在入力中の低解像度・高フレームレートの画像に変更して支持台２０に出力するように構成される。
【０１２４】
つまり、デジタルカメラ１０は、高解像度の出力用画像を撮影した後、撮像素子１０３の画像読出モードを低解像度・高フレームレートに変更し、その低解像度画像によって撮影範囲内での変化を検知すると、その低解像度画像を出力用画像として出力するとともに、高フレームレートでその出力用画像を更新するように構成される。
【０１２５】
この結果、外部機器ＥＸＴによって表示される出力用画像は変化があった場合に、その変化をリアルタイムで表示することができるようになり、例えば、紙原稿上を指示棒（ポインタ）等で指し示しつつ、プレゼンテーション等が行われる場合でも、操作者が原稿上のどの部分を指し示しているのかを容易に把握することが可能になる。
【０１２６】
図１７は、本参考技術における処理シーケンスを示すフローチャートである。
図１７に示すように、撮影モード時において、デジタルカメラ１０と支持台２０とが結合されたか否かを判断し（ステップＳ６０）、結合状態が検知されると、ステップＳ６１に進み、自動撮影モードへと移行する。自動撮影モードに移行すると、撮像素子１０３から低解像度の画像を高フレームレートで取得するための画像読出モードが設定される（ステップＳ６１）。そして被写体状態検知部１２２における検知機能が動作し、連続的に得られる低解像度の画像に基づき、撮影範囲内において被写体の動きを検知したか否かを判断する（ステップＳ６２）。
被写体の動きが検知されると、次にその被写体が静止したか否かを判断する（ステップＳ６３）。撮影範囲内において被写体が静止すると、被写体が安定した状態となるように一定時間待機した後（ステップＳ６４）、撮像素子１０３の画像読出モードを高解像度化し、フレームレートを低下させる（ステップＳ６５）。
そして出力用画像の撮影を行い（ステップＳ６６）、その出力用画像をＲＡＭ１４０に格納するとともに、支持台２０に出力する（ステップＳ６７）。
【０１２７】
次に再び撮像素子の画像読出モードを低解像度化し、フレームレートを上昇させる（ステップＳ６８）。そして再び被写体状態検知部１２２における検知機能が動作し、連続的に得られる低解像度の画像に基づき、撮影範囲内において被写体の動きを検知したか否かを判断する（ステップＳ６９）。そして被写体の動きが検知されると、その動きを出力用画像に反映されるべく、低解像度で得られる画像をそのまま出力用画像として出力する（ステップＳ７０）。これにより、デジタルカメラ１０から出力される画像は低解像度の画像に更新されることになり、撮影範囲内での動きが反映された画像が出力される。その後、被写体が静止したと判断されるまで（ステップＳ７１にてＹＥＳ）、低解像度での出力用画像の更新は繰り返される。そして被写体が静止した場合にはステップＳ６４に戻り、再び高解像度での出力用画像の撮影処理が行われる。
【０１２８】
このような処理を適用することにより、高フレームレートの連続画像から被写体の動きを検知することが可能になるので、被写体の動きが生じた時点からのタイムラグを短くすることができる。また、被写体に動きがある場合には高フレームレートで出力用画像を更新するので、出力用画像には被写体の動きがリアルタイムに反映されることになる。
【０１２９】
【発明の効果】
以上説明したように、請求項１に記載の発明によれば、撮像装置の撮影範囲内において被写体が静止したことが検出された場合に、出力用画像の撮影を行って画像出力を行い、当該被写体が撮影範囲内に留まる間はその画像出力を継続させるように構成されるため、撮影範囲内の被写体が中途半端な載置状態となった場合等のように、撮影範囲内にある被写体が異なる被写体に正常に交換されなかった場合に、不適切な画像出力が行われることを抑制することが可能である。
【０１３０】
請求項２に記載の発明によれば、被写体を撮影して得られる出力用画像の画像出力を行った後、当該被写体が撮影範囲内に留まる間は次の出力用画像の撮影を行わないので、無駄な撮影動作が行われることを回避することができる。
【０１３１】
請求項３に記載の発明によれば、撮像装置の撮影範囲内において被写体が静止した場合に出力用画像の撮影を行って画像出力を行い、その後に被写体が交換されたことが検出された場合において、その交換された被写体が現在画像出力中の被写体と同一であると判断された場合、その画像出力を継続させるように構成されるので、無駄な表示更新処理を抑制し、表示画像がちらつくことを防止することができる。
【０１３２】
請求項４に記載の発明によれば、交換された被写体が現在画像出力中の被写体と同一であると判断された場合、次の出力用画像の撮影を行わないので、無駄な撮影動作が行われることを回避することができる。
【０１３３】
請求項５に記載の発明によれば、一般的な撮像装置を近距離撮影に適用した動作モードで使用することができ、撮像装置の汎用性や利便性を増すことができる。
【図面の簡単な説明】
【図１】撮影システムの全体構成を示す図である。
【図２】撮影システムの全体構成を示す図である。
【図３】デジタルカメラを前面側からみた外観構成を示す斜視図である。
【図４】デジタルカメラを背面側からみた外観構成を示す斜視図である。
【図５】デジタルカメラと支持台とが接続された状態の機能ブロック図である。
【図６】ブロック分割の概念を示す図である。
【図７】複数のブロックによって被写体のある状態を検知する概念を示す図である。
【図８】複数のブロックによって被写体のある状態を検知する概念を示す図である。
【図９】複数のブロックによって被写体のある状態を検知する概念を示す図である。
【図１０】複数のブロックによって被写体のある状態を検知する概念を示す図である。
【図１１】複数のブロックによって被写体のある状態を検知する概念を示す図である。
【図１２】被写体が撮影範囲内に留まる間は出力画像の更新を行わない処理シーケンスを示すフローチャートである。
【図１３】被写体が撮影範囲内に留まる間は出力画像の更新を行わない処理シーケンスを示すフローチャートである。
【図１４】交換された被写体がそれ以前に撮影された出力用画像と同一である場合に出力用画像の撮影を行わない処理シーケンスを示すフローチャートである。
【図１５】交換された被写体がそれ以前に撮影された出力用画像と同一である場合に出力用画像の撮影を行わない処理シーケンスを示すフローチャートである。
【図１６】原稿が中途半端に載置された状態を示す図である。
【図１７】参考技術に関する処理シーケンスを示すフローチャートである。
【符号の説明】
１  撮影システム
１０  デジタルカメラ（撮像装置）
２０  支持台
１０３  撮像素子
１１４  結合検知部
１２０  全体制御部
１２１  撮影制御部
１２２  被写体状態検知部（検出手段）
１２３  出力制御部
１３０  ＲＯＭ
１４０  ＲＡＭ
【図１】
2004208232.tif 000003
【図２】
2004208232.tif 000004
【図３】
2004208232.tif 000005
【図４】
2004208232.tif 000006
【図５】
2004208232.tif 000007
【図６】
2004208232.tif 000008
【図７】
2004208232.tif 000009
【図８】
2004208232.tif 000010
【図９】
2004208232.tif 000011
【図１０】
2004208232.tif 000012
【図１１】
2004208232.tif 000013
【図１２】
2004208232.tif 000014
【図１３】
2004208232.tif 000015
【図１４】
2004208232.tif 000016
【図１５】
2004208232.tif 000017
【図１６】
2004208232.tif 000018
【図１７】
2004208232.tif 000019